(57)【要約】【課題】特に自社商品等の広告等のために用いられるパネルにおいて、煩雑な作業を行うことなく人目を十分に引くことが可能であるとともに、コストも低く抑えることが可能であり、更に製造が容易なパネルを提供すること。【解決手段】任意のイラスト、写真、広告、絵画、文字、模様等を発光可能としたＥＬフィルム２と、該ＥＬフィルム２の正面側の周縁部又は／及び裏面側の周縁部に装着したフレーム枠４とで構成され、前記ＥＬフィルム２の電極に電圧を加えることでＥＬフィルム２に任意のイラスト等を発光させることを可能にしており、これにより、単に静的な広告をパネルに挿装した場合と異なり、見る者に強烈な印象を与えて自社商品等を強力にアピールすることが可能であるとともに、パネルにＥＬフィルムを挿装した場合と異なり、製造が極めて容易であり、それにより製造コストを抑えることも可能である。【選択図】図１
0003138735.tif 000002
【実用新案登録請求の範囲】
【請求項１】
任意のイラスト、写真、広告、絵画、文字、模様等を発光可能としたＥＬフィルム（２）と、該ＥＬフィルム（２）の正面側の周縁部又は／及び裏面側の周縁部に装着したフレーム枠（４）と、を具備したことを特徴とするパネル。
【請求項２】
前記フレーム枠（４）を接着剤により前記ＥＬフィルム（２）に貼着したことを特徴とする請求項１に記載のパネル。
【考案の詳細な説明】
【技術分野】
【０００１】
本考案はパネルに係り、より詳しくは、任意のイラスト、写真、広告、絵画、文字、模様等を発光可能としたＥＬフィルムの周縁部にフレーム枠を装着してなることを特徴とするパネルに関する。
【背景技術】
【０００２】
従来から、商品広告等の手法の一つとして、文字、模様等を描いた広告をパネルに挿装し、この広告を挿装したパネルを展示等することが行なわれている。即ち、パネルは一般的に、多角形状に枠組みされたフレームと、このフレーム内に支持されるとともに、写真、絵画、文字等を挟み込んで支持することが可能な裏板および透明体を備えており、裏板と透明体の間に広告等を挟み込むとともに、この広告等を挟み込んだパネルを、例えば展示会場等の自社ブース内に飾ることにより、自社商品等の広告を行なうことが一般的に行なわれている。
【０００３】
しかしながら、このように、単にパネル内に商品広告等を挟み込んでいるのみでは、文字、模様等に鮮明な色彩を用いた場合であっても、来場者に強力にアピールすることは困難である。
【０００４】
また、店舗等における店頭広告においても、単に自社商品の広告等をパネルに挿装しただけでは、特に繁華街等においては有効な広告とはなり得ない。
【０００５】
更に、単に広告等をパネルに挿装した従来の方法では、周囲が暗い場合には目立たないという大きな問題点もある。
【０００６】
この点、展示会場における来場者に自社ブース等を強力にアピールするために、あるいは繁華街等において自社を強力にアピールするために、ネオンサインによる電飾看板等を用いる方法も考えられるが、電飾看板の場合には、装備が大掛かりになるとともにコストも上がってしまい、更に、ネオンサインでは蛍光灯等の寿命の関係で定期的に保守、交換を必要とするために手間や費用等がかかるという問題点がある。
【０００７】
そこで、本出願人は過去において、任意の文字、模様等を発光可能に描いたＥＬフィルムを内部に挿装して構成したパネルを提案しており、これによれば、ＥＬフィルムに自社の広告等を発光可能に描くことにより、単に静的な広告をパネルに挿装した場合と異なり、見る者に強烈な印象を与えて自社商品等を強力にアピールすることが可能である。
【特許文献１】実用新案登録第３０９８１１７号公報
【考案の開示】
【考案が解決しようとする課題】
【０００８】
しかしながら、ＥＬフィルムを内部に挿装して構成したパネルでは、従来から提供されているパネル以上にその製造に手間がかかってしまい、そのため製造コストが上がってしまうという問題点が考えられる。
【０００９】
その一方、周知のように、ＥＬフィルムは、プラスチック、硝子等の基板上に、電極、発光層等として機能する薄い膜を重ねた構造であり、極めて薄いため、単独でパネルを構成することは困難であり、これをパネルに用いるためには、前述のようにパネルの内部に挿装しなければならなかった。
【００１０】
そこで、本考案は、特に自社商品等の広告等のために用いられるパネルにおいて、煩雑な作業を行うことなく人目を十分に引くことが可能であるとともに、コストも低く抑えることが可能であり、更に製造が容易なパネルを提供することを課題としている。
【課題を解決するための手段】
【００１１】
本考案のパネルは、任意のイラスト、写真、広告、絵画、文字、模様等を発光可能としたＥＬフィルムと、該ＥＬフィルムの周縁部に装着したフレーム枠と、を具備したことを特徴としている。
【考案の効果】
【００１２】
本考案では、任意のイラスト、写真、広告、絵画、文字、模様等を発光可能としたＥＬフィルムの周縁部にフレーム枠を装着して構成しているために、ＥＬフィルムの電極に電圧を加えることにより、ＥＬフィルムに任意のイラスト、写真、広告、絵画、文字、模様等を発光させることができ、単に静的な広告をパネルに挿装した場合と異なり、見る者に強烈な印象を与えて自社商品等を強力にアピールすることが可能であるとともに、周囲が暗い場合でも、パネル全体を際だたせることが可能である。
【００１３】
また、本考案のパネルでは、ＥＬフィルムの周縁部にフレーム枠を装着して構成しているために、パネルにＥＬフィルムを挿装した場合と異なり、製造が極めて容易であり、それにより製造コストを抑えることも可能である。
【考案を実施するための最良の形態】
【００１４】
本考案のパネルでは、任意のイラスト、写真、広告、絵画、文字、模様等を発光可能としたＥＬフィルムを備えており、このＥＬフィルムの周縁部には、フレーム枠を装着している。
【００１５】
ここで、前記フレーム枠は、ＥＬフィルムの周縁部であればいずれの箇所に装着してもよく、ＥＬフィルムの正面側の周縁部、背面側の周縁部、あるいは正面側及び背面側双方の周縁部に装着してもよい。
【００１６】
また、前記フレーム枠の装着方法としては、特に限定されるものではないが、糊等の接着剤によって貼着することがよく、これにより容易にフレーム枠を装着することが可能である。
【実施例１】
【００１７】
本考案のパネルの実施例について図面を参照して説明すると、図１は、本実施例のパネルを示す斜視図であり、図において１が本実施例のパネルである。
【００１８】
また、図２は、本実施例のパネル１を分解して示した分解斜視図であり、図において２はＥＬフィルムである。即ち、本実施例のパネル１では、ＥＬフィルム２を備えており、このＥＬフィルム２は、任意のイラスト、写真、広告、絵画、文字、模様等を発光可能としており、これにより、このＥＬフィルム２に電圧を加えることで、任意のイラスト、写真、広告、絵画、文字、模様を発光させ、パネル全体を広告媒体等として機能させることを可能としている。
【００１９】
なお、ＥＬには無機ＥＬ、有機ＥＬ等があり、その発光の構造は既に周知であるために詳細な説明は省略するが、本実施例で用いているＥＬフィルム２では、高バリアフィルムで高分子有機ＥＬ材料を挟み込んだ構造のものとしており、この高分子有機ＥＬ材料によって任意のイラスト、写真、広告、絵画、文字、模様等を描くことにより、電圧を加えることで、この任意のイラスト、写真、広告、絵画、文字、模様等の部分のみを発光させることを可能としている。
【００２０】
従って、本実施例のパネル１では、ＥＬフィルム２に任意のイラスト、写真、広告、絵画、文字、模様等を発光可能にすることで、単に商品宣伝等を印刷した紙類等をパネルに挿装した場合と異なり、イラスト、写真、広告、絵画、文字、模様等の部分を、発光により目立たせることが可能であるとともに、周囲が暗い場合でも十分に機能可能なパネルにすることが可能である。
【００２１】
また、ネオンサイン等の電飾看板を用いた場合と異なり、面倒な作業を必要とすることも無く、更に寿命が長いために長期間の使用にも耐えることができるという利点がある。
【００２２】
なお、図において３はリード線であり、該リード線３は前記ＥＬフィルム２の電極に接続されている。
【００２３】
次に、図において４はフレーム枠である。即ち、本実施例のパネル１では、前記ＥＬフィルム２の周縁部にフレーム枠４を装着して構成されている。
【００２４】
ここで、前記フレーム枠４について説明すると、本実施例において前記フレーム枠４は、４本の長尺状のフレーム材を略四角形状に枠組みすることによりフレーム枠４を構成し、このフレーム枠４を、前記ＥＬフィルム２の正面側の周縁部に糊等の接着剤により貼着している。
【００２５】
なお、前記フレーム枠４は、必ずしも４本の長尺状のフレーム材を略四角形状に枠組みすることにより構成する必要はなく、略四角形状の枠体を一体成型してフレーム枠を形成してもよい。
【００２６】
また、前記フレーム枠４は、必ずしも前記ＥＬフィルム２の正面側の周縁部に貼着する必要もなく、前記ＥＬフィルム２の背面側の周縁部に貼着してもよく、あるいは、前記ＥＬフィルム２の正面側及び背面側の周縁部に貼着してＥＬフィルム２の周縁部をフレーム枠４で挟み込んでもよい。
【００２７】
更に、前記フレーム枠４の材質は特に限定されず、樹脂製、木製、厚紙等、ＥＬフィルムに剛性を与えてパネルとして成立可能であれば、いずれの材質を用いてもよい。
【００２８】
次に、本実施例のパネル１の使用方法について説明すると、本実施例のパネル１を使用する場合には、前記フレーム枠４にフック等を取り付けるとともにこのフック等を介して紐等によって本実施例のパネルを所望する箇所に吊し、あるいは、このような手段を採用しない場合には本実施例のパネル１を所望する箇所にそのまま設置し、その後に、前記リード線３を電源に接続し、これにより前記ＥＬフィルム２に電源を供給するのみでよい。
【００２９】
そうすると、電源の供給により、前記ＥＬフィルム２に描いたイラスト、写真、広告、絵画、文字、模様等が発光し、これにより見る者により強くアピールすることが可能となる。
【００３０】
このように、本実施例のパネル１では、任意のイラスト、写真、広告、絵画、文字、模様等を発光可能としたＥＬフィルムの周縁部にフレーム枠を装着して構成されているために、より効果的な広告媒体にすることが可能であるとともに、周囲が暗い場合でも広告媒体としての機能を損なうことが無いパネルを提供することが可能である。
【００３１】
また、このとき、本実施例のパネル１では、ＥＬフィルム２の周縁部にフレーム枠４を装着した構成としているために、パネルにＥＬフィルムを挿装した場合と異なり、製造が極めて容易であり、それにより製造コストを抑えることも可能である。
【００３２】
なお、前述したように、本実施例においては、高分子有機ＥＬ材料を用いたＥＬフィルムを採用したが、本考案のパネルでは必ずしもこのような高分子有機ＥＬ材料を用いたＥＬフィルムには限定されず、すべてのＥＬフィルムが対象となる。
【産業上の利用可能性】
【００３３】
本考案のパネルでは、ＥＬフィルムの周縁部にフレーム枠を装着して構成し、これにより、パネル全体を目立たせることを可能にするとともに、製造を極めて容易にしているため、パネルの全般に適用可能であるとともに、有機ＥＬ、無機ＥＬ等、すべてのＥＬフィルムに適用可能である。
【図面の簡単な説明】
【００３４】
【図１】本考案のパネルの実施例の斜視図である。
【図２】本考案のパネルの実施例の分解斜視図である。
【符号の説明】
【００３５】
１    パネル
２    ＥＬフィルム
３    リード線
４    フレーム枠
【図１】
0003138735.tif 000003
【図２】
0003138735.tif 000004